(57)【要約】【課題】冷凍回路を構成する膨張弁が正常に作動するか否かを容易にチェックすることができる冷凍回路のバルブチェック方法を提供すること。【解決手段】低温・低圧のガス冷媒を圧縮して高温・高圧のガス冷媒とする圧縮機と、高温高圧のガス冷媒を凝縮液化させて外気に放熱する放熱器として機能するコンデンサと、通過する冷媒を減圧・膨張させて低温・低圧の冷媒にする膨張弁と、低温低圧の液冷媒を蒸発気化させて内気から熱を奪う蒸発器として機能するエバポレータと、エバポレータと圧縮機との間に設けられたサクションモジュレーティングバルブとを備え、これらを冷媒配管で接続した冷凍回路のバルブチェック方法であって、膨張弁を全閉状態とし、サクションモジュレーティングバルブを全開状態として、圧縮機を運転し、所定時間内に圧縮機の吐出圧力が所定値まで上昇するか、所定時間内に圧縮機の吸入圧力が所定値まで低下するかを測定する段階を備える。【選択図】図１
2011064458.tif 000002
【特許請求の範囲】
【請求項１】
低温・低圧のガス冷媒を圧縮して高温・高圧のガス冷媒とする圧縮機と、
高温高圧のガス冷媒を凝縮液化させて外気に放熱する放熱器として機能するコンデンサと、
通過する冷媒を減圧・膨張させて低温・低圧の冷媒にする膨張弁と、
低温低圧の液冷媒を蒸発気化させて内気から熱を奪う蒸発器として機能するエバポレータと、
前記エバポレータと前記圧縮機との間に設けられたサクションモジュレーティングバルブとを備え、これらを冷媒配管で接続した冷凍回路のバルブチェック方法であって、
前記膨張弁を全閉状態とし、前記サクションモジュレーティングバルブを全開状態として、前記圧縮機を運転し、所定時間内に前記圧縮機の吐出圧力が所定値まで上昇するか、所定時間内に圧縮機の吸入圧力が所定値まで低下するかを測定する段階を備えていることを特徴とする冷凍回路のバルブチェック方法。
【請求項２】
前記サクションモジュレーティングバルブを全閉状態として、その後、前記膨張弁を全開状態として、前記エバポレータの出口圧力の圧力上昇が所定値以下か、前記圧縮機の吸入圧力の圧力上昇が所定値以下かを測定する段階を備えていることを特徴とする請求項１に記載の冷凍回路のバルブチェック方法。
【請求項３】
前記サクションモジュレーティングバルブを全開状態として、前記圧縮機の吸入圧力の圧力上昇が所定値以上かを測定する段階を備えていることを特徴とする請求項２に記載の冷凍回路のバルブチェック方法。
【発明の詳細な説明】
【技術分野】
【０００１】
本発明は、空気調和装置やコンテナ用冷凍ユニット（海上コンテナ用冷凍ユニットや陸上コンテナ用冷凍ユニット）等に用いられる冷凍回路のバルブチェック方法、特に、コンテナ用冷凍ユニットに用いられる冷凍回路のバルブチェック方法に関するものである。
【背景技術】
【０００２】
コンテナ用冷凍ユニットに用いられる冷凍回路としては、エバポレータの出口と圧縮機の吸入側とを接続する配管中に、サクションモジュレーションバルブ（以下、「サクションモジュレーティングバルブ」という。）が配置されたものが知られている（例えば、特許文献１参照）。
【先行技術文献】
【特許文献】
【０００３】
【特許文献１】特許第３１９２１３０号公報
【発明の概要】
【発明が解決しようとする課題】
【０００４】
サクションモジュレーティングバルブは、その出口側の圧力を設定値以下に保持するもので、吹出し温度を一定に保つ為に装着されており、外気温が低く、熱負荷が低下した場合に、その開度が徐々に絞られて、圧縮機に流入する冷媒流量を減少させ、能力調整するものである。
しかしながら、上記特許文献には、サクションモジュレーティングバルブや膨張弁が正常に作動するか否かを容易にチェックする方法が開示されておらず、サクションモジュレーティングバルブや膨張弁が正常に作動するか否かを容易にチェックする方法が求められていた。
【０００５】
本発明は上記課題に鑑みなされたもので、冷凍回路を構成する膨張弁が正常に作動するか否かを容易にチェックすることができる冷凍回路のバルブチェック方法を提供することを目的としている。
【課題を解決するための手段】
【０００６】
本発明は、上記課題を解決するため、以下の手段を採用した。
本発明による冷凍回路のバルブチェック方法は、低温・低圧のガス冷媒を圧縮して高温・高圧のガス冷媒とする圧縮機と、高温高圧のガス冷媒を凝縮液化させて外気に放熱する放熱器として機能するコンデンサと、通過する冷媒を減圧・膨張させて低温・低圧の冷媒にする膨張弁と、低温低圧の液冷媒を蒸発気化させて内気から熱を奪う蒸発器として機能するエバポレータと、前記エバポレータと前記圧縮機との間に設けられたサクションモジュレーティングバルブとを備え、これらを冷媒配管で接続した冷凍回路のバルブチェック方法であって、前記膨張弁を全閉状態とし、前記サクションモジュレーティングバルブを全開状態として、前記圧縮機を運転し、所定時間内に前記圧縮機の吐出圧力が所定値まで上昇するか、所定時間内に圧縮機の吸入圧力が所定値まで低下するかを測定する段階を備えている。
このような冷凍回路のバルブチェック方法によれば、測定の結果、所定時間内に圧縮機の吐出圧力が所定値まで上昇し、所定時間内に圧縮機の吸入圧力が所定値まで低下すれば、膨張弁は正常に作動し、全閉状態となっていたことを容易に確認することができる。
【０００７】
上記冷凍回路のバルブチェック方法において、前記サクションモジュレーティングバルブを全閉状態として、その後、前記膨張弁を全開状態として、前記エバポレータの出口圧力の圧力上昇が所定値以下か、前記圧縮機の吸入圧力の圧力上昇が所定値以下かを測定する段階を備えているとさらに好適である。
このような冷凍回路のバルブチェック方法によれば、測定の結果、エバポレータの出口圧力の圧力上昇が所定値以上で、圧縮機の吸入圧力の圧力上昇が所定値以下であれば、膨張弁は正常に作動し、全開状態となっていたことになり、また、サクションモジュレーティングバルブは正常に作動し、全閉状態となっていたことを容易に確認することができる。
【０００８】
上記冷凍回路のバルブチェック方法において、前記サクションモジュレーティングバルブを全開状態として、前記圧縮機の吸入圧力の圧力上昇が所定値以上かを測定する段階を備えている。
このような冷凍回路のバルブチェック方法によれば、測定の結果、圧縮機の吸入圧力の圧力上昇が所定値以上であれば、サクションモジュレーティングバルブは正常に作動し、全開状態となっていたことを容易に確認することができる。
このようにして、冷凍回路に用いられている膨張弁およびサクションモジュレーティングバルブの開閉作動チェック（バルブチェック）を、簡単に実施することができることとなる。
【発明の効果】
【０００９】
本発明によれば、冷凍回路を構成する膨張弁が正常に作動するか否かを容易にチェックすることができるという効果を奏する。
【図面の簡単な説明】
【００１０】
【図１】本発明に係る冷凍回路の一実施形態を示す構成図である。
【図２】図１に示す冷凍回路を具備した海上コンテナ用冷凍ユニットの概略正面図である。
【図３】図１に示す冷凍回路の一部分だけを示した要部概略構成図である。
【発明を実施するための形態】
【００１１】
以下、本発明による冷凍回路の一実施形態について、図１および図２を参照しながら説明する。
図１は本実施形態に係る冷凍回路３０の構成図である。また、図２は、本実施形態に係る冷凍回路３０を具備した海上コンテナ用冷凍ユニット（冷凍装置）１の概略正面図である。
【００１２】
海上コンテナ用冷凍ユニット１は、直方体状のコンテナ（図示せず）の一方の端壁に組み付けられており、この海上コンテナ用冷凍ユニット１が運転されることによって、コンテナの庫内温度が−３０〔℃〕〜＋２５〔℃〕の範囲で任意に設定された温度に維持され得るようになっている。また、海上コンテナ用冷凍ユニット１が組み付けられたコンテナは、船舶、トラック、鉄道車両等に積載して運搬され得るようになっている。
【００１３】
圧縮機２から吐出されたガス冷媒は、水冷コンデンサ３および／または空冷コンデンサ４に入り凝縮液化する。この凝縮液化して得られた液冷媒は、ドライヤ５、ストレーナ６を経て電子膨張弁７に入り、ここで絞られることにより断熱膨張して気液二相の冷媒となる。
そして、この冷媒はエバポレータ８（図１参照）に入り、ここで庫内空気を冷却することによって蒸発気化する。そして、蒸発気化した冷媒（すなわちガス冷媒）は、アキュームレータ９を経て圧縮機２に戻る。
【００１４】
空冷コンデンサ４を用いる場合は、モータ１０によりコンデンサファン（図示せず）を駆動する。すると、空冷コンデンサ４を流過する過程でガス冷媒と熱交換することにより昇温した後、コンデンサファンにより付勢されて大気中に放出される。
【００１５】
水冷コンデンサ３を用いる場合は、入口側接続金具１１に図示しない給水管を接続するとともに、出口側接続金具１２に図示しない排水管を接続して制水弁（図示せず）を開き、コンデンサファンを停止する。すると、給水管から供給された冷却水が入口側接続金具１１から図示しない水配管を経て水冷コンデンサ３内に入り、ここでガス冷媒と熱交換することにより昇温した後、水配管、制水弁を通り出口側接続金具１２から排水管を経て排出される。
【００１６】
エバポレータに結露したドレンは、ドレンパン（図示せず）上に滴下し、ドレンホース１３を経てドレン排出口から排出されるようになっている。
なお、図２中において、符号１４は圧縮機２内に液冷媒を噴射して冷却するための液インジェクション電磁弁、符号１５は４００〔Ｖ〕級電源用プラグ＆ケーブル、符号１６はエバポレータに吸い込まれる庫内空気の温度を検出するための吸込空気温度センサ（図示せず）のチェック用温度計の挿入口、符号１７はエバポレータから吹き出された空気の温度を検出するための吹出空気温度センサ（図示せず）のチェック用温度計の挿入口、符号１８は圧縮機２の吐出管の温度を検出するための吐出管温度センサ、符号１９は空冷コンデンサ４に流入する外気の温度を検出するための外気温度センサ、符号２０はエバポレータセクション内の機器を点検するための点検蓋、符号２１は換気装置、符号２２はコントロールボックスである。
【００１７】
図１に示すように、本実施形態に係る冷凍回路３０は、圧縮機２と、空冷コンデンサ４（および／または水冷コンデンサ３）と、電子膨張弁７と、エバポレータ８とを主たる要素として構成されたものである。
圧縮機２は、低温・低圧のガス状冷媒を圧縮して高温・高圧のガス冷媒とするものである。
空冷コンデンサ４（および／または水冷コンデンサ３）は、高温高圧のガス冷媒を凝縮液化させて外気（水冷コンデンサ３の場合は冷却水）に放熱する放熱器として機能するものである。
電子膨張弁７は、内部を通過する冷媒を減圧・膨張させて低温・低圧の冷媒にするものである。この電子膨張弁７には、駆動源として、例えばステッピングモータ（図示せず）が設けられており、制御器（図示せず）から送られてきた信号に基づいてこのステッピングモータが駆動され、電子膨張弁７が適宜所望の開度に調整されることとなる。
エバポレータ８は、低温低圧の液冷媒を蒸発気化させて内気から熱を奪う蒸発器として機能するものである。
【００１８】
なお、図１中において、符号３１は圧縮機２の吐出側冷媒配管５５に設けられ、吐出圧を設定圧以上に保持する吐出圧力調整弁、符号３２はレシーバ、符号３３はエコノマイザ熱交換器、符号３４はエコノマイザ膨張弁、符号３５はエコノマイザ電磁弁、符号３６はエコノマイザ膨張弁３４の感温筒、符号３７はサイトグラス、符号３８はディストリビュータ、符号３９は圧縮機２の吸入側冷媒配管５６に設けられ、その出口側圧力（吸入圧力）を設定値以下に保持するサクションモジュレーティングバルブ、符号４０は逆止弁、符号４１は吐出圧力調整弁３１下流側の冷媒配管５５とサクションモジュレーティングバルブ３９下流側の冷媒配管５６との間に接続された戻り管５７中に設けられたガスバイパス電磁弁、符号４２は圧縮機２から圧縮途中のガス冷媒を圧縮機２の吸入側冷媒配管５６にバイパスするバイパス配管５８中に設けられたキャパシティコントローラ用電磁弁（以下、「キャパコン電磁弁」という。）、符号４３は圧縮機２からの高温・高圧の吐出ガス冷媒をドレンパンホットガスデフロスト管５４を経てエバポレータ８に導入するデフロスト配管５９に設けられたホットガス電磁弁、符号４４，４５はキャピラリチューブ（固定抵抗）、符号４６は高圧圧力スイッチ、符号４７はサービスジョイント（高圧）、符号４８はサービスバルブ、符号４９はサービスジョイント（高圧）、符号５０は可溶栓、符号５１はサービスバルブ、符号５２はサービスジョイント（低圧）、符号５３はサービスジョイント（中間圧）、符号５４はドレンパンホットガスデフロスト管である。
【００１９】
吐出圧力調整弁３１は、圧縮機２の吐出圧力が所定の圧力よりも低い場合に全閉状態となり、圧縮機２から吐出された冷媒が空冷コンデンサ４（および／または水冷コンデンサ３）に流れ込まないようにして吐出圧を設定値以上に保持するためのバルブであり、圧縮機２と空冷コンデンサ４（および／または水冷コンデンサ３）とを連通する配管５５の途中に接続されている。
吐出圧力調整弁３１およびサービスバルブ４８よりも下流側（空冷コンデンサ４（および／または水冷コンデンサ３）の側）に位置する配管５５と、サクションモジュレーティングバルブ３９と圧縮機２とを連通する配管５６（サービスジョイント（低圧）５２よりも下流側（圧縮機２の側）に位置する配管５６）とは、戻り管５７を介して接続されており、この戻り管５７中にガスバイパス電磁弁４１が設けられている。これにより、外気温が低く（例えば、庫内設定温度が０℃の場合、外気温度が１０℃以下）、熱負荷が低下した場合、圧縮機吸入圧力が低下し、サクションモジュレーティングバルブ３９が使用限界に達してしまい、これ以上バルブを絞ることができず、流量調整すなわち吸入絞りによる能力調整ができなくなることがある。
【００２０】
このような場合、ガスバイパス電磁弁４１が開となって、吐出圧力調整弁３１下流側の外気温相当の（冷えた）高圧ガス冷媒が、戻り管５７を通して圧縮機２の吸入側に戻されるようになっており、これによって圧縮機吸入圧力を上昇させることができる。このため、サクションモジュレーティングバルブ３９をさらに絞ることができるようになり、圧縮機を停止させることなく連続運転させることができ、庫内への吹き出し温度を一定に保つことができる。
【００２１】
また、戻り管５７は、吐出圧力調整弁３１の下流側で冷媒配管５５に接続され、吐出圧力調整弁３１下流側の外気温相当の（冷えた）冷媒を圧縮機吸入側の冷媒配管５６に戻すようにしているため、圧縮機の吐出ガス冷媒の温度を抑えつつサクションモジュレーティングバルブ３９による流量調整を行って圧縮機２を連続運転することができる。
なお、上記冷凍回路３０の能力調整は、熱負荷の低下に伴って、まず、キャパコン電磁弁４２を開として圧縮途中のガス冷媒を圧縮機吸入側へバイパスさせる容量制御によって調整し、更なる熱負荷の低下時にガスバイパス電磁弁４１を開として上述の制御を行うようにすることによって、圧縮機連続運転による能力調整幅を拡大することができる。
【００２２】
以上のように本実施形態による冷凍回路３０によれば、外気温が低く（例えば、庫内設定温度が０℃の場合、外気温度が１０℃以下）、熱負荷が低下して、サクションモジュレーティングバルブ３９の絞りが使用限界に達するような場合でも、ガスバイパス電磁弁４１を開とし、戻り管５７を介して高圧側の冷媒を、圧縮機２の吸入側に戻すことによって圧縮機吸入圧力を上昇させ、サクションモジュレーティングバルブ３９をさらに絞ることができるようになる。このため、圧縮機２を停止させることなく連続運転させることができ、庫内への吹き出し温度を一定に保つことができる。
【００２３】
つぎに、上述の冷凍回路３０に用いられている電子膨張弁７およびサクションモジュレーティングバルブ３９の開閉作動チェック（バルブチェック）方法について、図３を用いて説明する。
図３において、符号６０はエバポレータ出口圧力センサ、符号６１は圧縮機吸入圧力センサ、符号６２は圧縮機吐出圧力センサである。その他の構成要素については前述した実施形態のものと同じであるので、ここではそれら構成要素についての説明は省略する。
【００２４】
はじめに、電子膨張弁７を全閉状態とし、サクションモジュレーティングバルブ３９を全開状態として、圧縮機２を運転し、所定時間内に圧縮機２の吐出圧力が所定値まで上昇するか、そして、所定時間内に圧縮機２の吸入圧力が所定値まで低下するかを圧縮機吐出圧力センサ６２および圧縮機吸入圧力センサ６１を用いて測定する。測定の結果、所定時間内に圧縮機２の吐出圧力が所定値まで上昇し、所定時間内に圧縮機２の吸入圧力が所定値まで低下すれば、電子膨張弁７は正常に作動し、全閉状態となっていたことになる。なお、測定後、圧縮機２を停止する。
【００２５】
つぎに、サクションモジュレーティングバルブ３９を全閉状態として、その後、電子膨張弁７を全開状態として、エバポレータ出口圧力センサ６０の圧力上昇が所定値以下か、そして、圧縮機吸入圧力センサ６１の圧力上昇が所定値以下かをエバポレータ出口圧力センサ６０および圧縮機吸入圧力センサ６１を用いて測定する。測定の結果、エバポレータ出口圧力センサ６０の圧力上昇が所定値以上で、圧縮機吸入圧力センサ６１の圧力上昇が所定値以下であれば、電子膨張弁７は正常に作動し、全開状態となっていたことになり、サクションモジュレーティングバルブ３９は正常に作動し、全閉状態となっていたことになる。
【００２６】
最後に、サクションモジュレーティングバルブ３９を全開状態として、圧縮機吸入圧力センサ６１の圧力上昇が所定値以上かを圧縮機吸入圧力センサ６１を用いて測定する。測定の結果、圧縮機吸入圧力センサ６１の圧力上昇が所定値以上であれば、サクションモジュレーティングバルブ３９は正常に作動し、全開状態となっていたことになる。
このように、冷凍回路３０に用いられている電子膨張弁７およびサクションモジュレーティングバルブ３９の開閉作動チェック（バルブチェック）を、既設の（保護用、能力制御用として取り付けられた）圧力センサ６０，６１，６２を用いて簡単に実施することができることとなる。
【００２７】
なお、本発明による冷媒回路３０は、上述した実施形態のものに限定されるものではなく、例えば、戻り管５７の一端が、空冷コンデンサ４（および／または水冷コンデンサ３）を構成する配管の途中に接続されるように構成されたものであってもよい。すなわち、空冷コンデンサ４（および／または水冷コンデンサ３）内に溜まり込んだ外気温相当の二相冷媒が、戻り管５７を通して圧縮機２の吸入側に戻されるように構成されていてもよい。
これにより、上述した実施形態のものよりもより低い温度の冷媒を圧縮機２の吸入側に戻すことができ、圧縮機からの吐出ガス温度の上昇抑制効果を高めることができる。
【００２８】
また、本発明による冷凍回路３０は、上述した海上コンテナ用冷凍ユニット１のみに適用され得るものではなく、陸上コンテナ用冷凍ユニットや空気調和装置等、冷凍回路を備える冷凍装置であればいかなる冷凍装置にも適用することができる。
【符号の説明】
【００２９】
１  海上コンテナ用冷凍ユニット（冷凍装置）
２  圧縮機
３  水冷コンデンサ
４  空冷コンデンサ
７  電子膨張弁
８  エバポレータ
３０  冷凍回路
３１  吐出圧力調整弁
３９  サクションモジュレーティングバルブ
４２  キャパシティコントローラ用電磁弁（容量制御弁）
５６  冷媒配管
５７  戻り管
５８  冷媒配管
【図１】
2011064458.tif 000003
【図２】
2011064458.tif 000004
【図３】
2011064458.tif 000005